(57)【要約】【課題】ハードウエアサイズや製造コストを増加させることなく、携帯電話から個人情報や営業秘密が漏れるリスクを除去し、その通話料金を安価にすることを可能にする。【解決手段】アドレスブック管理サーバ装置４は、携帯電話装置１から送信されるユーザアドレスブック要求情報を受信すると、アドレスブック記憶部４８からそのユーザのユーザアドレスブックを抽出する。そして、通話料金情報記憶部４９を参照して、そのユーザアドレスブックに含まれる通話先電話番号を通話先としたときの通話料金が最低となる通信事業者を抽出し、前記ユーザアドレスブックに含まれる通話先電話番号にその通信事業者の電話番号特番を付加し、その特番を付加したユーザアドレスブックを携帯電話装置１へ送信する。携帯電話装置１は、その特番付加ユーザアドレスブックを表示し、ユーザによって選択された特番付加通話先電話番号を接続先電話番号として送出する。【選択図】図１
2007288427.tif 000002
【特許請求の範囲】
【請求項１】
複数の携帯電話装置のユーザアドレスブックを記憶したアドレスブック記憶手段と、複数の通信事業者について時間帯および通話先ごとの通話料金情報を記憶した通話料金情報記憶手段と、を含んで構成されたアドレスブック管理サーバ装置に、前記携帯電話装置が通信可能に接続され、
前記携帯電話装置が、
前記アドレスブック管理サーバ装置に対し、その携帯電話装置のユーザアドレスブックの送信を求めるユーザアドレスブック要求情報を送信するステップ
を実行し、
前記アドレスブック管理サーバ装置が、
前記携帯電話装置から送信されたユーザアドレスブック要求情報を受信するステップと、
前記受信したユーザアドレスブック要求情報に含まれるユーザ識別情報に基づき、前記アドレスブック記憶手段を検索し、そのユーザ識別情報によって識別されるユーザのユーザアドレスブックを抽出するステップと、
前記抽出したユーザアドレスブックに含まれる電話番号と、そのときの時刻が含まれる時間帯とに基づき前記通話料金情報記憶手段を検索し、その時間帯でその電話番号を通話先とするときの通話料金が最低となる通信事業者を抽出するステップと、
前記抽出したユーザアドレスブックにおいて、そのユーザアドレスブックに含まれる前記電話番号に前記抽出した通信事業者を指定する電話番号特番を付加して特番付加ユーザアドレスブックを生成するステップと、
前記生成した特番付加ユーザアドレスブックを前記携帯電話装置へ送信するステップと、
を実行し、
前記携帯電話装置が、
前記アドレスブック管理サーバ装置から送信された前記特番付加ユーザアドレスブックを受信するステップと、
前記受信した特番付加ユーザアドレスブックを表示画面に表示するステップと、
前記特番付加ユーザアドレスブックを表示した表示画面においてユーザが選択した情報に基づき、前記電話番号特番を付加した通話先電話番号を抽出するステップと、
前記抽出した通話先電話番号を送出するステップと、
を実行すること
を特徴とする通話先電話番号送出方法。
【請求項２】
前記アドレスブック管理サーバ装置は、
前記特番付加ユーザアドレスブックを前記携帯電話装置へ送信するステップにおいて、前記特番付加ユーザアドレスブックに併せて所定の広告情報を送信し、
前記携帯電話装置は、
前記特番付加ユーザアドレスブックを受信するステップにおいて、前記特番付加ユーザアドレスブックに併せて前記広告情報を受信し、
前記特番付加ユーザアドレスブックを前記表示画面に表示するステップにおいて、前記特番付加ユーザアドレスブックに併せて前記広告情報を前記表示画面に表示すること
を特徴とする請求項１に記載の通話先電話番号送出方法。
【請求項３】
複数の携帯電話装置が通信可能に接続され、前記複数の携帯電話装置のユーザアドレスブックを記憶したアドレスブック記憶手段と、複数の通信事業者について時間帯および通話先ごとの通話料金情報を記憶した通話料金情報記憶手段と、を含んで構成されたアドレスブック管理サーバ装置であって、
前記携帯電話装置から送信されるユーザアドレスブック要求情報を受信するユーザアドレスブック要求情報受信手段と、
前記受信したユーザアドレスブック要求情報に含まれるユーザ識別情報に基づき、前記アドレスブック記憶手段を検索し、そのユーザ識別情報によって識別されるユーザのユーザアドレスブックを抽出するユーザアドレスブック抽出手段と、
前記抽出したユーザアドレスブックに含まれる電話番号と、そのときの時刻が含まれる時間帯とに基づき前記通話料金情報記憶手段を検索し、その時間帯でその電話番号を通話先とするときの通話料金が最低となる通信事業者を抽出する通信事業者抽出手段と、
前記抽出したユーザアドレスブックにおいて、そのユーザアドレスブックに含まれる前記電話番号に前記抽出した通信事業者を指定する電話番号特番を付加して特番付加ユーザアドレスブックを生成する特番付加ユーザアドレスブック生成手段と、
前記生成した特番付加ユーザアドレスブックを前記携帯電話装置へ送信する特番付加ユーザアドレスブック送信手段と、
を備えたことを特徴とするアドレスブック管理サーバ装置。
【請求項４】
前記特番付加ユーザアドレスブック送信手段は、前記特番付加ユーザアドレスブックに併せて所定の広告情報を送信すること
を特徴とする請求項３に記載のアドレスブック管理サーバ装置。
【請求項５】
複数の携帯電話装置が通信可能に接続され、前記複数の携帯電話装置のユーザアドレスブックを記憶したアドレスブック記憶手段と、複数の通信事業者について時間帯および通話先ごとの通話料金情報を記憶した通話料金情報記憶手段と、を含んで構成されたアドレスブック管理サーバ装置のプログラムであって、
前記携帯電話装置から送信されるユーザアドレスブック要求情報を受信するステップと、
前記受信したユーザアドレスブック要求情報に含まれるユーザ識別情報に基づき、前記アドレスブック記憶手段を検索し、そのユーザ識別情報によって識別されるユーザのユーザアドレスブックを抽出するステップと、
前記抽出したユーザアドレスブックに含まれる電話番号と、そのときの時刻が含まれる時間帯とに基づき前記通話料金情報記憶手段を検索し、その時間帯でその電話番号を通話先とするときの通話料金が最低となる通信事業者を抽出するステップと、
前記抽出したユーザアドレスブックにおいて、そのユーザアドレスブックに含まれる前記電話番号に、前記抽出した通信事業者を指定する電話番号特番を付加し、特番付加ユーザアドレスブックを生成するステップと、
前記生成した特番付加ユーザアドレスブックを前記携帯電話装置へ送信するステップと、
をコンピュータに実行させるためのプログラム。
【請求項６】
前記特番付加ユーザアドレスブックを前記携帯電話装置へ送信するステップにおいて、前記特番付加ユーザアドレスブックに併せて所定の広告情報を送信するようにしたこと
を特徴とする請求項５に記載のプログラム。
【請求項７】
複数の携帯電話装置のユーザアドレスブックを記憶したアドレスブック記憶手段と、複数の通信事業者について時間帯および通話先ごとの通話料金情報を記憶した通話料金情報記憶手段と、を含んで構成されたアドレスブック管理サーバ装置に通信可能に接続された携帯電話装置であって、
前記アドレスブック管理サーバ装置に対し、その携帯電話装置のユーザアドレスブックの送信を求めるユーザアドレスブック要求情報を送信するユーザアドレスブック要求情報送信手段と、
前記アドレスブック管理サーバ装置が、前記ユーザアドレスブック要求情報を受信し、そのユーザアドレスブック要求情報に応じて前記アドレスブック記憶手段と通話料金情報記憶手段とを検索して得られた情報に基づき生成し、送信した特番付加ユーザアドレスブックを受信する特番付加ユーザアドレスブック受信手段と、
前記受信した特番付加ユーザアドレスブックを表示画面に表示する特番付加ユーザアドレスブック表示手段と、
前記特番付加ユーザアドレスブックを表示した表示画面においてユーザが選択した情報に基づき、前記電話番号特番を付加した通話先電話番号を抽出する通話先電話番号抽出手段と、
前記抽出した通話先電話番号を送出する電話番号送出手段と、
を備えたことを特徴とする携帯電話装置。
【請求項８】
前記特番付加ユーザアドレスブック受信手段は、前記アドレスブック管理サーバ装置が前記特番付加ユーザアドレスブックに併せて送信する前記広告情報を、前記特番付加ユーザアドレスブックに併せて受信し、
前記特番付加ユーザアドレスブック表示手段は、前記特番付加ユーザアドレスブックに併せて前記広告情報を前記表示画面に表示すること
を特徴とする請求項７に携帯電話装置。
【請求項９】
複数の携帯電話装置のユーザアドレスブックを記憶したアドレスブック記憶手段と、複数の通信事業者について時間帯および通話先ごとの通話料金情報を記憶した通話料金情報記憶手段と、を含んで構成されたアドレスブック管理サーバ装置に通信可能に接続された携帯電話装置でのプログラムあって、
前記アドレスブック管理サーバ装置に対し、その携帯電話装置のユーザアドレスブックの送信を求めるユーザアドレスブック要求情報を送信するステップと、
前記アドレスブック管理サーバ装置が、前記ユーザアドレスブック要求情報を受信し、そのユーザアドレスブック要求情報に応じて前記アドレスブック記憶手段と通話料金情報記憶手段とを検索して得られた情報に基づき生成し、送信した特番付加ユーザアドレスブックを受信するステップと、
前記受信した特番付加ユーザアドレスブックを表示画面に表示するステップと、
前記特番付加ユーザアドレスブックを表示した表示画面においてユーザが選択した情報に基づき、前記電話番号特番を付加した通話先電話番号を抽出するステップと、
前記抽出した通話先電話番号を送出するステップと、
をコンピュータに実行させるためのプログラム。
【請求項１０】
前記特番付加ユーザアドレスブックを受信するステップにおいて、前記アドレスブック管理サーバ装置が前記特番付加ユーザアドレスブックに併せて送信する前記広告情報を、前記特番付加ユーザアドレスブックに併せて受信し、
前記特番付加ユーザアドレスブックを前記表示画面に表示するステップにおいて、前記特番付加ユーザアドレスブックに併せて前記広告情報を前記表示画面に表示するようにしたこと
を特徴とする請求項９に記載のプログラム。
【発明の詳細な説明】
【技術分野】
【０００１】
本発明は、携帯電話装置のアドレスブックをアドレスブック管理サーバ装置で管理する場合の携帯電話装置の通話先電話番号送出方法に関し、さらに、その通話先電話番号送出方法を実現するためのアドレスブック管理サーバ装置およびそのプログラム、並びに、携帯電話装置およびそのプログラムに関する。
【背景技術】
【０００２】
近年、携帯電話装置は、個人が所有する電話機として、子供さえも持つほどまでに普及している。もちろん、携帯電話装置は、ビジネスの場面でも欠かすことのできないものである。その場合、その携帯電話装置は、企業が所有するビジネス専用のものであったり、従業員が個人として所有ものであったりする。このような携帯電話装置には、次の２つの問題が指摘されている。
【０００３】
まず、第１に、携帯電話装置は、紛失したり盗難に遭ったりする機会が多いため、実際に紛失したり盗難に遭ったりすると、携帯電話装置に保管している個人情報や企業の営業秘密などが漏れるリスクが大きいということである。すなわち、携帯電話装置のアドレスブックには、通話先の個人名、会社名、電話番号、住所などが保管されていることが多いが、それらの情報は、個人情報であるとともに、場合によっては、取引先などの情報を含んだ企業の営業秘密でもある。
【０００４】
また、第２に、携帯電話装置の通話料金は、固定電話などの通話料金に比べ数倍高いということである。従って、携帯電話装置のユーザは、携帯電話装置の通話料金ができるだけ安くなることを望んでいる。
【０００５】
このような問題に対して、例えば、非特許文献１には、携帯電話装置のアドレスブックを携帯電話装置がアクセス可能なサーバ装置に保管し、必要に応じてそのサーバ装置からアドレスブックの一部または全部を携帯電話装置に読み出して利用する技術の例が示されている。その場合には、携帯電話装置にアドレスブックを保管する必要がないので、万一、携帯電話装置が紛失したり盗難に遭ったりしても、個人情報や企業の営業秘密が漏れることはない。
【０００６】
また、携帯電話装置の通話料金は、現在のところ、一定時間一定額料金のようなパック料金など、携帯電話の通信事業者が実施する営業政策的な料金体系によって割引されているが、その携帯電話装置の通話料金を技術的な手段によって安価にする技術の例は見当たらない。なお、特許文献１などには、有線の電話回線に固定して接続された固定電話装置にＬＣＲ（Least Cost Routing）またはＡＣＲ（Automatic Carrier Routing）と呼ばれる回線アダプタを付加し、その固定電話から発信された通話を、通話料金が安価になる通信事業者の回線を介して通話先へ接続するようにして、通話料金を安価にする技術の例が開示されている。
【特許文献１】特開２００２−５１１６８号公報
【非特許文献１】加藤慶信、“紛失・盗難で高まるリスク：携帯電話を武装せよ！”、［online］、２００５年１０月３１日、日経ＢＰ社、［２００６年２月２４日検索］、インターネット＜URL：//nikkeibp.jp/sj2005/special/58/03.html＞
【発明の開示】
【発明が解決しようとする課題】
【０００７】
しかしながら、非特許文献１に記載されている技術では、個人情報や企業の営業秘密が漏れるリスクを除去することはできるが、通話料金を安価にすることはできない。また、特許文献１などに開示されているＬＣＲやＡＣＲなどの回線アダプタの技術を、携帯電話装置に適用しようとすると、その回線アダプタの分だけ、携帯電話装置のハードウエアサイズや製造コストが増加する。
【０００８】
本発明は、以上の従来技術の問題点に鑑み、携帯電話装置のハードウエアサイズや製造コストを増加させることなく、携帯電話装置における個人情報や企業の営業秘密が漏れるリスクを除去し、かつ、携帯電話の通話料金を安価にすることが可能な携帯電話装置の通話先電話番号送出方法、アドレスブック管理サーバ装置およびそのプログラム、並びに、携帯電話装置およびそのプログラムを提供することを目的とする。
【課題を解決するための手段】
【０００９】
請求項１に記載の通話先電話番号送出方法は、複数の携帯電話装置のユーザアドレスブックを記憶したアドレスブック記憶手段と、複数の通信事業者について時間帯および通話先ごとの通話料金情報を記憶した通話料金情報記憶手段と、を含んで構成されたアドレスブック管理サーバ装置に、前記携帯電話装置が通信可能に接続され、前記携帯電話装置および前記アドレスブック管理サーバ装置が以下に記載のステップを実行することを特徴とする。
（１）前記携帯電話装置が、前記アドレスブック管理サーバ装置に対し、その携帯電話装置のユーザアドレスブックの送信を求めるユーザアドレスブック要求情報を送信するステップ。
（２）前記アドレスブック管理サーバ装置が、（２−１）前記携帯電話装置から送信されたユーザアドレスブック要求情報を受信するステップ、（２−２）前記受信したユーザアドレスブック要求情報に含まれるユーザ識別情報に基づき、前記アドレスブック記憶手段を検索し、そのユーザ識別情報によって識別されるユーザのユーザアドレスブックを抽出するステップ、（２−３）前記抽出したユーザアドレスブックに含まれる電話番号と、そのときの時刻が含まれる時間帯とに基づき前記通話料金情報記憶手段を検索し、その時間帯でその電話番号を通話先とするときの通話料金が最低となる通信事業者を抽出するステップ、（２−４）前記抽出したユーザアドレスブックにおいて、そのユーザアドレスブックに含まれる前記電話番号に前記抽出した通信事業者を指定する電話番号特番を付加して特番付加ユーザアドレスブックを生成するステップ、（２−５）前記生成した特番付加ユーザアドレスブックを前記携帯電話装置へ送信するステップ。
（３）前記携帯電話装置が、（３−１）前記アドレスブック管理サーバ装置から送信された前記特番付加ユーザアドレスブックを受信するステップ、（３−２）前記受信した特番付加ユーザアドレスブックを表示画面に表示するステップ、（３−３）前記特番付加ユーザアドレスブックを表示した表示画面においてユーザが選択した情報に基づき、前記電話番号特番を付加した通話先電話番号を抽出するステップ、（３−４）前記抽出した通話先電話番号を送出するステップ。
【００１０】
請求項１に記載の発明によれば、アドレスブック管理サーバ装置は、携帯電話装置のユーザアドレスブックをアドレスブック記憶手段に保管し、携帯電話装置からの求めに応じて、そのユーザアドレスブックを携帯電話装置へ送信する。また、携帯電話装置は、その送信されたユーザアドレスブックに基づき通話先電話番号を抽出し、送出する。従って、携帯電話装置は、アドレスブックを保管しないので、アドレスブックに係る個人情報や企業の営業秘密が漏れるリスクはない。
【００１１】
また、請求項１に記載の発明によれば、アドレスブック管理サーバ装置は、携帯電話装置のユーザアドレスブックを携帯電話装置へ送信するに際し、通話料金情報記憶手段を検索し、そのユーザアドレスブックに含まれる電話番号を通話先とし、そのときの時刻が含まれる時間帯における通話料金が最低となる通信事業者を抽出し、その電話番号にその通信事業者を指定する電話番号特番を付加する。従って、携帯電話装置が送出する電話番号は、その特番が付加されたものであるので、その電話番号によって接続される通話先への通話料金は、その通話先番号および時間帯に対して最低となる。つまり、携帯電話装置のユーザが支払う通話料金は安くなる。
【００１２】
また、請求項１に記載の発明によれば、携帯電話装置は、アドレスブック管理サーバ装置にユーザアドレスブックの送信を要求し、その要求に応じてアドレスブック管理サーバ装置から送信されるユーザアドレスブックを受信し、表示し、その表示されたユーザアドレスブックから通話先電話番号を抽出し、抽出した通話先電話番号を送出する処理を行うが、これらの処理は、携帯電話装置を構成する情報処理装置のプログラムとして実現することができる。従って、本発明によって、携帯電話装置のハードウエアサイズやその製造コストが増加することはほとんどない。
【００１３】
請求項２に記載の通話先電話番号送出方法は、請求項１に記載の通話先電話番号送出方法であって、
（４）前記アドレスブック管理サーバ装置は、前記特番付加ユーザアドレスブックを前記携帯電話装置へ送信するステップ（請求項１の２−５のステップ）において、前記特番付加ユーザアドレスブックに併せて所定の広告情報を送信し、
（５）前記携帯電話装置は、（５−１）前記特番付加ユーザアドレスブックを受信するステップ（請求項１の３−１のステップ）において、前記特番付加ユーザアドレスブックに併せて前記広告情報を受信し、（５−２）前記特番付加ユーザアドレスブックを前記表示画面に表示するステップ（請求項１の３−２のステップ）において、前記特番付加ユーザアドレスブックに併せて前記広告情報を前記表示画面に表示することを特徴とする。
【００１４】
請求項２に記載の発明によれば、携帯電話装置は、アドレスブック管理サーバ装置から特番付加ユーザアドレスブックに併せて送信される広告情報を、その特番付加ユーザアドレスブックに併せて表示画面に表示する。すなわち、携帯電話装置の表示画面には、特番付加ユーザアドレスブックと広告情報とが併せて表示されるので、携帯電話装置のユーザは、その広告情報も必ず閲覧することになる。つまり、本発明により、効果の大きい広告手段が提供される。その結果、広告の依頼者から広告料金を得ることができ、その広告料金を通話料金に充当するようにすることができるので、通話料金を安価にすることができる。
【００１５】
なお、請求項３および請求項４の発明は、それぞれ、請求項１および請求項２に記載の通話先電話番号送出方法を実現するためのアドレスブック管理サーバ装置の発明である。また、請求項５および請求項６の発明は、それぞれ、請求項１および請求項２に記載の通話先電話番号送出方法を実現するためのアドレスブック管理サーバ装置のプログラムの発明である。
【００１６】
また、請求項７および請求項８の発明は、それぞれ、請求項１および請求項２に記載の通話先電話番号送出方法を実現するための携帯電話装置の発明である。また、請求項９および請求項１０の発明は、それぞれ、請求項１および請求項２に記載の通話先電話番号送出方法を実現するための携帯電話装置のプログラムの発明である。
【発明の効果】
【００１７】
本発明によれば、携帯電話装置のハードウエアサイズや製造コストを増加させることなく、携帯電話装置における個人情報や企業の営業秘密が漏れるリスクを除去し、かつ、携帯電話の通話料金を安価にすることが可能となる。
【発明を実施するための最良の形態】
【００１８】
以下、図を用いて本発明の実施形態について詳しく説明する。
【００１９】
図１は、本発明の実施形態における携帯電話装置およびアドレスブック管理サーバ装置の機能ブロックの構成の例を示した図である。図１に示すように、携帯電話装置１は、携帯電話基地局２および通信ネットワーク３を介してアドレスブック管理サーバ装置４に接続されている。
【００２０】
携帯電話装置１は、情報処理装置１１に、ＬＣＤ（Liquid Crystal Display）などの表示装置１２、キーボタン入力装置１３、送受話器１４、通信装置１５などが接続されて構成される。また、情報処理装置１１は、図示しないＣＰＵ（Central Processing Unit）と、ＲＡＭ（Random Access Memory）やフラッシュメモリなどの記憶装置とを含んで構成される。そして、そのＣＰＵがフラッシュメモリなどに格納された所定のプログラムを実行することによって、ユーザアドレスブック要求情報送信部１１１、特番付加ユーザアドレスブック受信部１１２、特番付加ユーザアドレスブック表示部１１３、通話先電話番号抽出部１１４、電話番号送出部１１５、広告情報表示部１１６、通話処理部１１７、通信制御部１１８などの機能ブロックの機能が実現される。
【００２１】
また、アドレスブック管理サーバ装置４は、図示しないＣＰＵとＲＡＭやハードディスク装置などからなる記憶装置とを含んで構成された、いわゆる、コンピュータによって構成される。そして、そのＣＰＵがＲＡＭやハードディスク装置などに格納された所定のプログラムを実行することによって、ユーザアドレスブック要求情報受信部４１、ユーザアドレスブック抽出部４２、最低料金通信事業者抽出部４３、特番付加ユーザアドレスブック生成部４４、特番付加ユーザアドレスブック送信部４５、広告情報付加部４６、通信制御部４７などの機能ブロックの機能が実現される。さらに、アドレスブック管理サーバ装置４は、これらの機能ブロックが動作するときに使用される情報を保管するために、アドレスブック記憶部４８、通話料金情報記憶部４９、広告情報記憶部５０などを備える。
【００２２】
以下、図２〜図７の図面を参照しながら、本実施形態における携帯電話装置１およびアドレスブック管理サーバ装置４の動作について詳しく説明する。ここで、図２は、本実施形態における携帯電話装置およびアドレスブック管理サーバ装置の動作を示したフローチャートである。また、図３は、本実施形態において携帯電話装置がアドレスブック管理サーバ装置にユーザアドレスブックの送信を求めるときに表示装置に表示する表示画面の例を示した図である。
【００２３】
まず、ユーザが携帯電話装置１を用いて電話をかけようとするときには、携帯電話装置１は、その電話機能を支援するために、表示装置１２に図３のようなアドレスブックの表示を要求する表示画面５１を表示する。すなわち、携帯電話装置１は、表示画面５１に、表示する通話先のグループを指示する表示グループ指示ボタン５１２、アドレスブックの表示の開始を指示する表示ボタン５１１などを表示する。なお、本実施形態では、表示グループ指示ボタン５１２は、通話先が通話先名称のふりがなにより五十音図の行別にグループ化されるものとして表示されるが、通話先の住所の地域別など他の方法でグループ化されるものであってもよい。
【００２４】
次に、表示装置１２の表示画面５１において、ユーザが表示グループ指示ボタン５１２の１つを選択した上で、表示ボタン５１１を押すと、携帯電話装置１は、アドレスブックの表示処理を開始する。ここで、表示装置１２に表示されたボタンを「押す」とは、キーボタン入力装置１３の「カーソル移動」キーなどによってその表示されたボタンの１つを選択した上で、キーボタン入力装置１３に設けられた「決定」キーなどをユーザが押すことをいう。
【００２５】
そこで、携帯電話装置１は、図２に示すアドレスブックを表示する処理を開始する。まず、携帯電話装置１は、アドレスブック管理サーバ装置４に対し、ユーザアドレスブック要求情報を送信する（ステップＳ１０）。このとき、ユーザアドレスブック要求情報は、情報識別コード、ユーザＩＤ、パスワード、通話先グループ名などを含んで構成される。
【００２６】
なお、本明細書では、ユーザ１名分のユーザのアドレスブックを、とくに、ユーザアドレスブックと呼んでいる。従って、ユーザアドレスブック要求情報は、ユーザＩＤによって指定されるユーザ１名のユーザアドレスブックを送信することを、アドレスブック管理サーバ装置４に要求するための情報である。
【００２７】
また、ユーザアドレスブック要求情報において、情報識別コードとは、その送信情報の種類を識別する情報であり、この場合は、その送信される情報がユーザアドレスブック要求情報であることを示す情報である。また、ユーザＩＤは、そのユーザアドレスブック要求情報を送信したユーザを識別する情報であり、パスワードは、そのユーザがあらかじめ登録されたユーザ本人であることを示す情報である。また、通話先グループ名は、そのユーザのアドレスブックのうち、どの通話先グループのアドレスブック情報を要求しているかを示す情報である。
【００２８】
図３の表示画面５１の例では、ユーザは、「や」のボタンを選択して、表示ボタン５１１を押しているので、通話先グループ名は、例えば、「や行の通話先」である。すなわち、ユーザは、通話先名称のふりがなが「や」行で始まる通話先のユーザアドレスブック情報の送信を要求していることになる。従って、この場合には、ユーザアドレスブック要求情報には、通話先グループ名として「や行の通話先」という情報が付されることになる。
【００２９】
なお、ユーザアドレスブック要求情報において、情報識別コードおよびユーザＩＤは必須の情報であるが、それ以外の情報は必要に応じて付す情報としてもよい。また、ユーザＩＤは、携帯電話装置１に割り当てられた電話番号そのものをユーザＩＤとしてもよい。このとき、ユーザアドレスブック要求情報にパスワードを付さないものとしても構わないが、その場合には、携帯電話装置１が盗難に遭った場合などには、ユーザアドレスブックの情報が閲覧され、個人情報や企業の営業秘密が漏れる恐れがある。
【００３０】
以上のようなユーザアドレスブック要求情報など、携帯電話装置１からアドレスブック管理サーバ装置４へ送信される情報は、通信制御部１１８（図１参照）において所定の通信プロトコルに従ってパケット化され、通信装置１５によって所定の搬送波に変調されて携帯電話基地局２へ送信され、さらに、通信ネットワーク３を介してアドレスブック管理サーバ装置４へ送信される。ここで、通信ネットワーク３は、携帯電話の通信網、インターネットなどを含む。
【００３１】
次に、再び、図２を参照する。携帯電話装置１がステップＳ１０においてユーザアドレスブック要求情報をアドレスブック管理サーバ装置４へ送信すると、アドレスブック管理サーバ装置４は、その送信されたユーザアドレスブック要求情報を受信する（ステップＳ２０）。
【００３２】
このとき、その受信したユーザアドレスブック要求情報に、ユーザＩＤとともにパスワードなど、そのユーザの正当性を示すセキュリティ情報などが含まれるものとしていたときには、そのユーザＩＤに対して、そのパスワードがあらかじめ登録したものと一致するか否かなどのセキュリティチェックを行う（図示せず）。
【００３３】
アドレスブック管理サーバ装置４は、次に、ユーザアドレスブック要求情報に含まれるユーザＩＤに基づきアドレスブック記憶部４８を検索し（ステップＳ２１）、そのユーザＩＤによって指定されたユーザのユーザアドレスブックを抽出する（ステップＳ２２）。このとき、ユーザアドレスブック要求情報に通話先グループ名が含まれていたときには、前記抽出されたユーザアドレスブックから、さらに、その通話先グループ名によって指定された通話先グループ部分のユーザアドレスブックを抽出する。
【００３４】
図４は、本実施形態においてアドレスブック記憶部に記憶されるユーザアドレスブックの例を示した図である。図４に示すように、アドレスブック記憶部４８には、複数のユーザのユーザアドレスブックが記憶されている。そして、それぞれのユーザアドレスブックには、そのユーザがあらかじめ登録しておいた通話先ごとに通話先名称、通話先電話番号、通話先住所などが記憶されている。そして、これらユーザごとに登録されたユーザアドレスブックは、ユーザＩＤによって識別可能に構成されている。
【００３５】
なお、ユーザアドレスブックの通話先に記憶される情報は、個人名であっても会社名または会社の部署名であってもよい。また、そのユーザアドレスブックには、これらの情報のほかにも、通話先の電子メールアドレスや通話先に係る他の属性情報を記憶するようにしてもよい。
【００３６】
以上のように、アドレスブック記憶部４８には、複数のユーザのユーザアドレスブックが記憶されているので、アドレスブック管理サーバ装置４は、ステップＳ２２において、ユーザＩＤによって指定されたユーザのユーザアドレスブックを抽出し、さらに、通話先グループ名によって指定された通話先グループ部分のユーザアドレスブックを抽出する。なお、本明細書では、この通話先グループ名によって指定された通話先グループ部分のユーザアドレスブックも、便宜上、単に、ユーザアドレスブックという。
【００３７】
再び、図２を参照すると、アドレスブック管理サーバ装置４は、ステップＳ２２で抽出したユーザアドレスブックに含まれる通話先への通話料金を算出する（ステップＳ２３）。一般に、通話料金は、通話するときの時間帯、通話先が属する地域、通信事業者などによって異なるので、アドレスブック管理サーバ装置４は、その料金情報を通話料金情報記憶部４９に記憶している。
【００３８】
図５は、本実施形態において通話料金情報記憶部に記憶される通話料金情報の例を示した図である。図５に示すように、通話料金情報記憶部４９は、複数の通信事業者に対してそれぞれの通話料金表を記憶している。そして、そのそれぞれの通信事業者の料金表には、例えば、時間帯や地域ごとに区分された通話料金が記憶されている。
【００３９】
ここで、その時間帯とは、１日をあらかじめ定められた時間ごとに区分された時間帯であってもよく、また、その時間帯は、さらに、平日および休日によって異なる時間帯に分けて区分された時間帯であってもよい。また、地域は、通話を発信する携帯電話装置１が位置する地域との相対的な距離によって区分されることが多いが、日本国内を１つだけの地域としてもよく、また、地域として国外の地域が含まれてもよい。
【００４０】
再び、図２を参照すると、アドレスブック管理サーバ装置４は、ステップＳ２２において、前記抽出したユーザアドレスブックに含まれる通話先への通話料金を、そのときの時刻や通話先電話番号や通話先住所などに基づき、通話料金情報記憶部４９を参照して、それぞれの通信事業者ごとに算出する。そして、その算出した通信事業者ごとの通話料金から、通話料金が最低となる通信事業者を抽出する（ステップＳ２４）。
【００４１】
次に、アドレスブック管理サーバ装置４は、前記ステップＳ２２で抽出したユーザアドレスブックに含まれる通話先電話番号に、前記ステップＳ２４で抽出した通信事業者に割り当てられた電話番号特番を付加して、特番付加ユーザアドレスブックを生成する（ステップＳ２５）。
【００４２】
図６は、本実施形態において通信事業者の特番を付加した特番付加ユーザアドレスブックの例を示した図である。図６に示すように、特番付加ユーザアドレスブックにおいては、その通話先電話番号に、００４１，００６３などの通信事業者を指定する特番が付加されている。
【００４３】
次に、アドレスブック管理サーバ装置４は、前記ステップＳ２５で生成した特番付加ユーザアドレスブックに広告情報記憶部５０に記憶されている広告情報を付加する（ステップＳ２６）。なお、広告情報記憶部５０には、通常、複数の広告情報が記憶されており、アドレスブック管理サーバ装置４は、特番付加ユーザアドレスブックに広告情報を付加するに当たっては、その中から、適宜、１つまたは２〜３の広告情報を選択する。
【００４４】
次に、アドレスブック管理サーバ装置４は、前記ステップＳ２５で生成した特番付加ユーザアドレスブックと、前記ステップＳ２６でその特番付加ユーザアドレスブックに付加した広告情報とを、先にユーザアドレスブック要求情報を送信した携帯電話装置１へ送信する（ステップＳ２７）。
【００４５】
そこで、携帯電話装置１は、その特番付加ユーザアドレスブックと広告情報とを受信する（ステップＳ３０）。そして、その受信した特番付加ユーザアドレスブックと広告情報とを携帯電話装置１の表示装置１２に表示する（ステップＳ３１）。
【００４６】
図７は、本実施形態において携帯電話装置の表示装置に特番付加ユーザアドレスブックを表示した表示画面の例を示した図である。図７に示すように、前記ステップＳ３１においては、携帯電話装置１の表示装置１２に、特番付加ユーザアドレスブック情報５２２と広告情報５２３とを含んだ表示画面５２が表示される。このとき表示される特番付加ユーザアドレスブック情報５２２においては、その電話番号特番を表示する必要はない。ユーザは、その電話番号特番を知る必要がないからである。また、その特番付加ユーザアドレスブック情報５２２において、通話先電話番号自体を表示しないようにしてもよい。
【００４７】
また、図７に示すように、広告情報５２３は、特番付加ユーザアドレスブック情報５２２と併せて１つの表示画面５２に表示される。そのため、ユーザは、特番付加ユーザアドレスブック情報５２２を閲覧するときに、その広告情報を自然と目にすることになる。従って、本実施形態の広告表示は、広告効果の大きい広告といえる。
【００４８】
また、携帯電話装置１の表示装置１２の表示画面５２に表示される広告情報５２３は、アドレスブック管理サーバ装置４から送信された広告情報であるが、その広告情報５２３は、図７の例のように文字情報に限定される必要はない。アドレスブック管理サーバ装置４から送信された広告情報が画像情報であったときには、携帯電話装置１は、その画像情報を広告情報５２３として表示してもよい。
【００４９】
再び、図２を参照すると、携帯電話装置１は、図７の表示画面５２に表示されたような特番付加ユーザアドレスブック情報５２２から通話先を選択する（ステップＳ３２）。その場合、ユーザは、キーボタン入力装置１３のカーソルキーなどを押すことにより、図７の表示画面５２に表示された特番付加ユーザアドレスブック情報５２２から通話先を１つ選択する。
【００５０】
続いて、ユーザが電話マークボタン５２１を押すと、携帯電話装置１は、その選択された特番付加ユーザアドレスブック情報５２２から通話先電話番号を抽出する（ステップＳ３３）。このとき抽出される通話先電話番号は、電話番号特番が付加されたものである。そして、携帯電話装置１は、その電話番号特番が付加された通話先電話番号を電話交換機（図１に図示せず）へ向けて送出する（ステップＳ３４）。
【００５１】
以上のようにして、通話先電話番号に通信事業者を指定する電話番号特番が付加された電話番号が電話交換機へ送信された場合には、その通話は、その通信事業者が所有する電話回線を介して通話先へ接続される。そして、その通話料金は、その通信事業者の料金体系によりその通信事業者によって課金される。
【００５２】
なお、以上のようにして接続された通話が終了したときには、携帯電話装置１は、その受信した特番付加ユーザアドレスブックをそのメモリから削除するとともに、特番付加ユーザアドレスブックを表示した表示画面５２などの表示を消去する。
【００５３】
以上、本実施形態においては、アドレスブック管理サーバ装置４において、その通話料金が最低になるような通信事業者を抽出し、その抽出された通信事業者を指定する電話番号特番をそのユーザのユーザアドレスブックに含まれる通話先電話番号に付加して、特番付加ユーザアドレスブックを生成している。そして、携帯電話装置１は、その生成された特番付加ユーザアドレスブックの中から通話先特番が付加された通話先電話番号を選択し、その通話先特番が付加された通話先電話番号を電話交換機へ送信する。従って、その通話先特番が付加された通話先電話番号によって通話先に接続される通話の通話料金は、最低の料金となる。
【００５４】
その場合、ユーザは、例えば、携帯電話装置１の表示装置１２の表示画面５１（図３参照）においてユーザアドレスブックの表示を要求し、その要求に応じて表示装置１２に表示される表示画面５２（図７参照）において通話先を選択し、通話先電話番号の発信指示をするだけで、その通話は、ユーザが通話料金を意識することなく、通話料金が最低となる通信事業者の回線が選択されて通話先へ接続される。
【００５５】
なお、従来から存在するＬＣＲまたはＡＣＲと呼ばれる固定電話装置の回線アダプタ（例えば、特許文献１参照）は、本実施形態と同様にユーザが意識することなく、その通話を通話料金が最低となる通信事業者の回線を選択して通話先に接続する機能を有している。しかしながら、本実施形態は、その回線アダプタとは相違する構成および効果を有しているので、その相違する構成および効果について比較して説明しておく。
【００５６】
従来の回線アダプタの場合には、通信事業者の電話番号特番を付加するための通信事業者それぞれの通話料金情報は、電話装置側、つまり、電話装置に接続された回線アダプタに保管される。従って、通信事業者が通話料金を改定するたびに、例えば、通話料金管理サーバ装置などで管理されている通話料金情報を電話装置に接続された回線アダプタにダウンロードする必要がある。そのときには、その通話料金管理サーバ装置は、その通話料金情報を多数の回線アダプタに対して、一斉に送信することになるので、そのときの電話回線の通信負荷が膨大なものとなる可能性がある。
【００５７】
一方、本実施形態の場合には、通信事業者それぞれの通話料金情報は、アドレスブック管理サーバ装置４に保管されるため、通信事業者が通話料金を改定してもその通話料金情報は、アドレスブック管理サーバ装置４に保管された通話料金情報（通話料金情報記憶部４９の情報）を改定するだけでよい。従って、通信事業者が通話料金を改定しても、電話回線に対して大きな通信負荷をかけることはない。
【００５８】
また、従来の回線アダプタは、それ自体が、ハードウエアであり、そのハードウエアは、通話料金情報を保管するメモリと、その通話料金情報を参照して最低料金の通信事業者抽出するプログラムを実行するマイクロプロセッサなどの情報処理装置とによって構成される。従って、その回線アダプタを携帯電話装置に付加しようとすると、その分だけ、ハードウエアサイズや製造コストが増加する。
【００５９】
一方、本実施形態の携帯電話装置１の場合には、従来の携帯電話装置に対して、図１で示した機能ブロック１１１〜１１６を付加する必要があるが、それらの機能は、情報処理装置１１にアプリケーションプログラムを追加することによって実現することができる。従って、本実施形態の携帯電話装置１の場合には、通常の携帯電話装置に対し、とくに付加するべきハードウエアはない。すなわち、携帯電話装置１は、そのハードウエアのサイズも製造コストも増加しない。
【００６０】
また、本実施形態においては、携帯電話装置１は、アドレスブック管理サーバ装置４から送信された広告情報をユーザアドレスブックと抱き合わせて表示装置１２に表示する。その表示装置１２に表示された広告情報は、ユーザが閲覧せざるを得ない広告効果の大きい広告情報であるので、その広告主に広告料金を求めることができる。従って、その広告料金を通話料金に充当することができる。すなわち、本実施形態においては、広告表示機能によって、少なくとも通話料金を安価にする手段が提供されていることになる。
【００６１】
なお、本実施形態においては、ユーザが電話をするときには、その都度、そのユーザのユーザアドレスブック情報をアドレスブック管理サーバ装置４から携帯電話装置１へ送信するため、その通信費用が必要となる。また、アドレスブック管理サーバ装置４を管理・運用するためにも費用が必要となる。そこで、前記した広告情報の表示によって得られる広告料金を、その通信費用および管理・運用費用に充当するようにしてもよい。
【図面の簡単な説明】
【００６２】
【図１】本発明の実施形態における携帯電話装置およびアドレスブック管理サーバ装置のそれぞれの機能ブロックの構成の例を示した図である。
【図２】本発明の実施形態における携帯電話装置およびアドレスブック管理サーバ装置の動作を示したフローチャートである。
【図３】本発明の実施形態において携帯電話装置がアドレスブック管理サーバ装置にユーザアドレスブックの送信を求めるときに表示装置に表示する表示画面の例を示した図である。
【図４】本発明の実施形態においてアドレスブック記憶部に記憶されるユーザアドレスブックの例を示した図である。
【図５】本発明の実施形態において通話料金情報記憶部に記憶される通話料金情報の例を示した図である。
【図６】本発明の本実施形態において通信事業者の特番を付加した特番付加ユーザアドレスブックの例を示した図である。
【図７】本発明の本実施形態において携帯電話装置の表示装置に特番付加ユーザアドレスブックを表示した表示画面の例を示した図である。
【符号の説明】
【００６３】
１      携帯電話装置
２      携帯電話基地局
３      通信ネットワーク
４      アドレスブック管理サーバ装置
１１    情報処理装置
１２    表示装置
１３    キーボタン入力装置
１４    送受話器
１５    通信装置
４１    ユーザアドレスブック要求情報受信部
４２    ユーザアドレスブック抽出部
４３    最低料金通信事業者抽出部
４４    特番付加ユーザアドレスブック生成部
４５    特番付加ユーザアドレスブック送信部
４６    広告情報付加部
４７    通信制御部
４８    アドレスブック記憶部
４９    通話料金情報記憶部
５０    広告情報記憶部
５１    表示画面
５２    表示画面
１１１  ユーザアドレスブック要求情報送信部
１１２  特番付加ユーザアドレスブック受信部
１１３  特番付加ユーザアドレスブック表示部
１１４  通話先電話番号抽出部
１１５  電話番号送出部
１１６  広告情報表示部
１１７  通話処理部
１１８  通信制御部
５１１  表示ボタン
５１２  表示グループ指示ボタン
５２１  電話マークボタン
５２２  特番付加ユーザアドレスブック情報
５２３  広告情報
【図１】
2007288427.tif 000003
【図２】
2007288427.tif 000004
【図３】
2007288427.tif 000005
【図４】
2007288427.tif 000006
【図５】
2007288427.tif 000007
【図６】
2007288427.tif 000008
【図７】
2007288427.tif 000009